(57)【特許請求の範囲】
【請求項１】
無線通信システムにおけるリモート装置に情報を送信する方法であって、
情報を制御チャネル・タイムスロットに含めて、制御チャネルで送信する第１の送信ステップ：
各制御チャネル・タイムスロットは、連続するスーパーフレームに含められて周期的に送信され、
各スーパーフレームは、第１の数の制御チャネル・タイムスロットを含む；
呼出し情報を一斉呼出しチャネル・タイムスロットに含めて、一斉呼出しチャネルで送信する第２の送信ステップ：
各一斉呼出しチャネル・タイムスロットは、連続するスーパーフレームに含められて周期的に送信され、
各スーパーフレームは、第２の数の一斉呼出しチャネル・タイムスロットを含む；
を有し、
前記制御チャネル・タイムスロットの前記第１の数は、前記一斉呼出しチャネル・タイムスロットの前記第２の数と異なることを特徴とする方法。
【請求項２】
前記制御チャネル・タイムスロットの前記第１の数をｎとし、前記一斉呼出しチャネル・タイムスロットの前記第２の数をｎ＋１とすることを特徴とする請求項１に記載の方法。
【請求項３】
前記第１および第２の送信ステップは各々、
送信される前記情報を、少なくとも１の拡散符号を用いて拡散するステップを更に有することを特徴とする請求項１に記載の方法。
【請求項４】
前記第２の送信ステップは、
呼出し情報のない前記一斉呼出しチャネル・タイムスロットの１タイムスロットを送信するステップを更に有することを特徴とする請求項２に記載の方法。
【請求項５】
前記第１の送信ステップは、
各制御チャネル・タイムスロットに同期シンボルを含めて送信するステップを更に有し、
連続する制御チャネル・タイムスロットにおける複数の前記同期シンボルが、フレーム境界パターンを生成することを特徴とする請求項１に記載の方法。
【請求項６】
情報を制御チャネル・タイムスロットに含めて、制御チャネルで送信する第１の送信手段：
各制御チャネル・タイムスロットは、連続するスーパーフレームに含められて周期的に送信され、
各スーパーフレームは、第１の数の制御チャネル・タイムスロットを含む；
呼出し情報を一斉呼出しチャネル・タイムスロットに含めて、一斉呼出しチャネルで送信する第２の送信手段：
各一斉呼出しチャネル・タイムスロットは、連続するスーパーフレームに含められて周期的に送信され、
各スーパーフレームは、第２の数の一斉呼出しチャネル・タイムスロットを含む；
を有し、
前記制御チャネル・タイムスロットの前記第１の数は、前記一斉呼出しチャネル・タイムスロットの前記第２の数と異なることを特徴とする無線通信システム。
【請求項７】
前記制御チャネル・タイムスロットの前記第１の数をｎとし、前記一斉呼出しチャネル・タイムスロットの前記第２の数をｎ＋１とすることを特徴とする請求項６に記載の無線通信システム。
【請求項８】
前記第１および第２の送信手段は各々、
送信される前記情報を、少なくとも１の拡散符号を用いて拡散する手段を更に有することを特徴とする請求項６に記載の無線通信システム。
【請求項９】
前記呼出し情報を送信する前記第２の送信手段は、
呼出し情報のない前記一斉呼出しチャネル・タイムスロットの１タイムスロットを送信する手段を更に有することを特徴とする請求項７に記載の無線通信システム。
【請求項１０】
前記制御チャネルの情報を送信する前記第１の送信手段は、
各制御チャネル・タイムスロットに同期シンボルを含めて送信する手段を更に有し、
連続する制御チャネル・タイムスロットにおける複数の前記同期シンボルが、フレーム境界パターンを生成することを特徴とする請求項６に記載の無線通信システム。
【請求項１１】
前記制御チャネルは、同期チャネルであって、
前記制御チャネル・タイムスロットは、フレーム同期を確立するために前記リモート装置によって利用可能な情報を含むことを特徴とする請求項１に記載の方法。
【請求項１２】
前記制御チャネル・タイムスロットは、ロングコード・グループを識別するために前記リモート装置によって利用可能な情報を含むことを特徴とする請求項１に記載の方法。
【請求項１３】
前記制御チャネルは、同期チャネルであって、
前記制御チャネル・タイムスロットは、フレーム同期を確立するために前記リモート装置によって利用可能な情報を含むことを特徴とする請求項６に記載の無線通信システム。
【請求項１４】
前記制御チャネル・タイムスロットは、ロングコード・グループを識別するために前記リモート装置によって利用可能な情報を含むことを特徴とする請求項６に記載の無線通信システム。
【請求項１５】
前記第１の送信ステップは、
拡散符号シーケンスから選択された拡散符号によって拡散された情報を各制御チャネル・タイムスロットに含めて送信するステップを更に有し、
連続する制御チャネル・タイムスロットにおける複数の拡散符号は、ロングコード・グループの識別パターンを生成することを特徴とする請求項１に記載の方法。
【請求項１６】
前記制御チャネルの情報を送信する前記第１の手段は、
拡散符号シーケンスから選択された拡散符号によって拡散された情報を各制御チャネル・タイムスロットに含めて送信する手段を更に有し、
連続する制御チャネル・タイムスロットにおける複数の拡散符号は、ロングコード・グループの識別パターンを生成することを特徴とする請求項６に記載の無線通信システム。
【発明の詳細な説明】
【０００１】
（発明の背景）
本発明は、電池駆動式のコードレス電話または無線電話のスタンバイ時の消費電力を低減させる方法および装置に関する。
【０００２】
従来より、電池駆動式の携帯電話の消費電力は、通話と通話との間の、加入者が新たに発呼し、または、ネットワークから着呼するのを待ち受けている期間中、これらの装置をスタンバイモード（「休止モード（idle mode）」ともよばれる）で動作させることで、低減が可能であることが実証されている。スタンバイ時の消費電力の低減に使用される主な仕組みとしては、受信機だけが動作するように、すなわち、指定されたネットワーク・コーリング・チャネル（network calling channel）の受信のみを行うように、送信機を切るものがある。しかし、現在のハンドへルド電話機は非常に小型化されているので、小型内蔵電池で利用可能な容量では、数時間しか受信機を連続して動作させることができない。
【０００３】
そのため、受信機のスタンバイモードの消費電力をさらに低減させる別の方法が提案され、多くの無線通信システム（例えば、主に欧州で採用されているデジタル・セルラ移動電話システムの標準規格（ＧＳＭ）に基づいて設計されたシステム）で使用されている。この方法は、受信機を低いデューティファクタでＯＮ／ＯＦＦするパルシングを含む。より具体的には、特定のリモート装置の受信機がオンの状態にある時間にそのリモート装置への呼出しメッセージが届くように、任意の携帯端末内の受信機がオンになる期間をネットワークが認識している。この技術は、時として、リモート装置を「スリープモード」にする、とよばれ、スリープモードにあるリモート装置は、周期的に起動して一斉呼出しチャネルを読み出し、呼が設定されようとしているかどうかを決定する。
【０００４】
ＧＳＭシステム仕様による携帯電話は、電話番号のある数字によるグループまたはネットワークオペレータの指定によるグループのいずれかのスリープモード・グループに分割される。簡単な例として、末尾０の番号の電話機はスリープモード・グループ０に属し、末尾１の番号の電話機はスリープモード・グループ１に属するといったものである。ネットワーク・コーリング・チャネルの容量は、スリープモード・グループに対応する多数の繰り返し周期（タイムスロット）で時分割される。そして、電話機への呼は、そのスリープモード・グループが立ち上がっていることが分かっている周期内でのみ送信される。立ち上がって、ネットワークからそのようなメッセージを受信し、自身の電話番号または識別番号（ＩＤ）が発呼されることを検出すると、その携帯端末の受信機はパルシングを中止して、情報をさらに連続して受信するよう維持し、その携帯端末の送信機は、加入者が呼を受け付けたときに（例えば、適当なボタンを押して）、その呼への応答を発生させる。発呼されたかどうかをネットワークにより判断するために、リモート装置は、あらかじめ割り当てられた呼出し周期の期間中に立ち上がることに加え、高品質のコネクションを提供する好適な基地局信号を受信することを確実にするために、隣接基地局の送信を周期的に監視することも必要である。
【０００５】
明らかなとおり、与えられた電源によるスタンバイ時間を増加するため、リモート装置が休止している時間を最大化することが望ましい。この目的を達成するためには、リモート装置は、上記したタスク、すなわち、その識別番号を有する呼出しメッセージの受信、およびさらにいくつかの補助機能の両方を、同時に、例えば、リモート装置が立ち上がって一斉呼出しチャネルを読出すときに、行うことがより望ましい。
【０００６】
しかし、無線通信システムの複雑度は一般に、性能および容量の増加に対応するために増加するので、システムより送信される情報を適切に検出しデコードできるように、リモート装置で行われる数多くのタスクの複雑度および数も増加する。提案された広帯域符号分割多元接続（W-CDMA）の手法は、さまざまなタイプの時間同期に加え、例えば、数多くの基地局の送信に対応する逆拡散符号を識別するためのいくつかの別の機能を、リモート装置で行うことが求められる。これらの追加的な機能では、各スーパーフレームに割り当てられた一斉呼出しチャネル・タイムスロット（paging timeslot）に加え、報知制御チャネルのフレーム構成内の複数の異なるタイムスロット（すなわち、異なる番号のタイムスロット）を、リモート装置が読み出すことが必要である。しかし、リモート装置が、呼出し目的のすべてのスーパーフレームにおける同一番号の１または２以上のタイムスロットにおいて「立ち上がる」ように設計されている場合には、呼出し機能およびその他の補助機能の両方を同時に実行することは不可能である。リモート装置は制御チャネルおよび一斉呼出しチャネルの両方に対して、各スーパーフレームにおける同一番号のタイムスロットしか読み出さないからである。そのためリモート装置は、補助的な処理に必要な異なる番号のタイムスロット情報を読出すために、各スーパーフレームにおいて少なくとも他の１のタイムスロットのために「立ち上がる」必要がある。上述したように、これはスタンバイモード期間中の消費電力が増加するため、望ましいことではない。
【０００７】
したがって、リモート装置が、割り当てられた一斉呼出しチャネル・タイムスロット期間中に、呼出し機能およびその他の補助機能（例えば、基地局コード識別機能）の両方を実行することを可能とすることによって、スタンバイ時の消費電力が低減するように設計されたシステム、リモート装置、および技術を提供することが望まれる。
【０００８】
（発明の概要）
本発明の実施形態により、従来のスリープモードおよび呼出し技術の、これらのあるいはその他の限界および欠点が解消される。本発明の実施形態は、リモート装置が、割り当てられた一斉呼出しチャネル・タイムスロットを読み出すのに必要な最小の時間だけ立ち上がって、制御チャネルの異なる番号のタイムスロットからの情報を取得することを可能とする。一の実施形態によれば、このことは、一斉呼出しチャネルにおけるスーパーフレーム毎のタイムスロット数を、制御チャネルにおけるスーパーフレーム毎のタイムスロット数と相違させることによって達成される。この方法において、制御チャネルのスーパーフレームと一斉呼出しチャネルのスーパーフレームとの間で、タイムスロットの増分オフセットが生じる。このため、リモート装置が立ち上がって、割り当てられた一斉呼出しチャネル・タイムスロットを読み出すのと同時に、現在受信した制御チャネルのタイムスロットを読み出すことが可能になる。生じたオフセットのために、リモート端末が一斉呼出しチャネルのスーパーフレーム構成に係る同一の一斉呼出しチャネル・タイムスロットを読み出しているときであっても、同時に受信した制御チャネルのタイムスロットはスーパーフレーム間で変化する。
【０００９】
本発明の他の実施形態によれば、スタンバイモードにおける電源オンの時間を最小化するための、制御チャネルの異なる番号のタイムスロットの情報の読み出しは、リモート装置を異なる呼出しグループに再配置すること、および、ある程度の追加的な立ち上がり時間を利用することによって達成することができる。リモート装置の別の呼出しグループへの再配置によって、そのリモート装置は制御チャネルの異なる番号のタイムスロットを読み出すことが可能になる。さらに、割り当てられた一斉呼出しチャネル・タイムスロットのみの期間よりも長時間、リモート装置が立ち上がる必要があるとき（例えば、チャネル推定を行うため）には、制御チャネルの異なる番号のタイムスロットを読み出す目的にも、この追加的な時間を使用することができる。
【００１０】
本発明の、さらに別の実施形態によれば、割り当てられた所定のリモート装置に係る初期タイムスロットをスーパーフレーム間で変化させて、そのリモート装置が立ち上がって呼出しメッセージを受信するときに、異なる制御チャネルのタイムスロットの情報を読み出す機会をリモート装置に提供することが可能である。
【００１１】
（詳細な説明）
以下の記載では、本発明の完全な理解を提供するための特定の回路、回路構成要素、技術等、特定の詳細な説明を開示することになるが、これは説明の目的のためのものであって、これに限定されるものではない。これら特定の詳細な開示から離れて他の実施形態を実施できることは明らかであろう。このほか、本発明の説明が不明瞭にならないよう、周知の方法、装置、回路等の詳細な記載は省略することにする。
【００１２】
ここでの無線通信システムの例は、基地局と移動端末との通信が拡散符号を用いて行われるが、情報は別個のタイムスロットで伝送される、ハイブリッドTDMA/CDMA技法を用いるものとして説明する。ただし、ここに開示されるコンセプトは、周波数分割多元接続（FDMA）、TDMA、CDMA、あるいはその他の接続技法（これらに限られるものではないが）を含む他の技法においても用途を見出せることは理解されよう。同様に、いくつかの実施形態では、第三世代無線通信システムの考察の下、代表的なフレームおよび論理チャネル構成に関する典型的な例を提供するが、以下説明する技術は、あらゆるシステムで使用される装置に等しく適用可能である。
【００１３】
多くの通信システムにおいて、所望の情報信号の第１フレームを受信機で受信したときは、送信機のクロックおよび受信機のクロックは「ロック」していない。すなわち、時間的に同期していない。この同期手順の一部は一般に、フレーム同期とよばれる。説明の目的のため（これに限定するものでない）、図１に示されるような本システムのエアインタフェースに係るフレームおよびタイムスロットの構成例を考える。同図において、10msの無線フレーム72個で各スーパーフレームを構成する。各無線フレームは、16のタイムスロットを有する。各タイムスロットは、対応するチャネルに依存する各種の情報フィールドを含んでいる。図１においては、BCCH1およびBCCH2の２つのチャネルが示されている。いくつか提案されている技法では、これら２つの制御チャネルは各々、Perch1、Perch2とよばれている。
【００１４】
これら２つのチャネルは、基地局により当該基地局のサービスエリア内の全移動局に（例えば、移動局により事前に知られている（アプリオリな）異なるショートコードを使用して）送信される報知制御チャネルである。同図から分かるように、各制御チャネルは１の同期シンボル（または同期ビット）をタイムスロット毎に含んでいる。これらの同期シンボルは、ロングコード・マスク・シンボル（LCMS）ともよばれる。BCCH2における同期シンボル（同期ビット）は、後述するようなフレーム同期だけでなく、このチャネルを送信する基地局に係るロングコード・グループの識別にも使用することができる。BCCH１は、受信機により（例えば、チャネル推定を行うために）使用されうるパイロット・シンボルおよび、例えば、ネットワーク・オペレータ、セクタ等を識別する、タイプの変化するオーバヘッド情報を伝送することができる論理情報チャネルも伝送する。
【００１５】
図２（ａ）は、図１に示したフレームおよびタイムスロットのチャネル構成によるエアインタフェースを介した情報の通信に使用することのできる、数個の送信機と、受信機とを示すブロック図である。同図において、２つの送信源40および50（例えば、単一の基地局における異なる送信機に対応する）は、スペクトル拡散技術を用いて、同一の周波数スペクトル上で異なる信号を送信する。各送信源に係る入力データは、直交するショートコードで乗算され、追加的なロングコードでスクランブルされる。そして、符号化され拡散されたユーザデータの和は、無線周波数搬送波および送信アンテナを使用して送信される。例えば、図２（ａ）において、ユーザ入力データ41は、直交するショートコード43で乗算され、ロングコード45を用いてスクランブルされる。符号化され拡散されたユーザデータの和47は、無線周波数搬送波49で変調されて送信アンテナ42によって送信される。同様に、ユーザ入力データ51は、直交するショートコード53で乗算され、ロングコード55を用いてスクランブルされる。符号化され拡散されたユーザデータの和57は、無線周波数搬送波59で変調されて送信アンテナ52によって送信される。送信アンテナ42は信号44を送信し、送信アンテナ52は信号54を送信する。
【００１６】
受信機60は受信アンテナ62を有する。信号44および信号54は、例えば、長さが変わる異なる経路を伝搬する反射等、エアインタフェースを介して送信されることによるチャネル効果を受ける。これらの反射の相互作用によって、移動局が位置する時と場所によって影響が変動するマルチパス・フェージングを生じ、送信機と受信機との距離が長くなるほど、これらの信号の強度は低下する。受信機60には周知のレイク受信機を使用して、異なる信号経路から信号エネルギーを集束させることができる。受信機60が信号98を受信すると、受信機60は搬送波信号64を用いて信号を復調して合成信号67を出力する。合成信号67は同期したロングコード65を用いて逆拡散され、同期した直交符号63を用いてデコードされる。受信機60は積分器68およびサンプラ69を用いて送信されてきたユーザデータを再生することができる。
【００１７】
割り当てられたトラフィック・チャネルで受信した信号の処理（すなわち、ユニークなショートコードの使用）に加え、移動局は別の信号処理タスクも有する。例えば、電源オンで休止中のとき、移動局は、呼出しメッセージ等の各種情報を得るために報知制御チャネルを受信することになる。現在受信している報知制御チャネルだけでなく他の隣接セルより報知される制御チャネルの品質（例えば信号強度）をも測定するため、移動局は周期的に、隣接基地局の情報を受け取る。これによって、休止状態の移動局が適切な制御チャネルを受信していることを、システムが確実ならしめる。隣接基地局より送信された報知制御チャネルの品質監視の処理においては、移動局はそれらに同期し、各基地局の送信信号をスクランブルするためにそれぞれ使用されるロングコードを識別することも必要である。
【００１８】
起動、セル間の移動、およびセルの再選択に係る信号処理タスクを行うために、受信機60は、さまざまな非同期の基地局からの送信信号のフレーム構成に対して時間同期が可能でなければならない。１の手法によれば、移動局は、フレーム同期、ロングコード・グループ識別、およびロングコード識別に続いて、タイムスロット同期（または１次同期）をまず確立する。タイムスロット同期は、第１の報知制御チャネルBCCH1内で検索される同期情報を用いて行うことが可能である。
【００１９】
ロングコード・グループ識別処理は次のように行うことができる。例えば、BCCH2のタイムスロット内の情報を拡散させるのに使用される拡散符号（すなわちショートコード）を、特定のロングコード・グループ（特定の基地局によりスクランブルに使用されるロングコードを含むグループ）に係る所定のシーケンスに応じて、（基地局で）変化させることによって行うことが可能である。そして、移動局は複数のタイムスロットを読み出し、各タイムスロットで用いられる拡散符号を識別する。すなわち、各タイムスロットの１のシンボルと、とりうるショートコードのセットの各々との相関をとることによって識別する。移動局はその後、基地局により用いられるショートコードのシーケンスを判断し、そのシーケンスを、例えば図２（ｂ）に示されるような、記憶されたテーブルと比較することができる。これにより、移動局が、所定のBCCH２を送信している基地局に係るロングコード・グループを判断することが可能になり、そして、その移動局が他の一連の相関演算を行うことにより特定のロングコードを決定することができる。
【００２０】
図２（ｂ）における、あらかじめ定められたロングコード・グループ識別シーケンスは、固有の周期的な偏移を有するので、その偏移を識別することで、移動局はフレーム同期を決定することもできる。一方、ロングコード・グループ識別が上記した方法とは異なる方法で行われる場合には、フレーム同期を行うためには別の方法が必要となる場合がある。
【００２１】
例えば、BCCH2で報知される異なる番号のタイムスロット内で検索される同期シンボルまたは同期ビットを用いて、フレーム同期を行うことが可能である。詳細には、現在受信している基地局のための、フレーム境界位置を判断するために移動局により使用されうる所定の周期的なパターンに応じて、同期シンボルまたは同期ビット（例えばLCMS）がこの制御チャネルの各タイムスロットに含められて基地局より送信される。同期シーケンスは一般に、良好な自己相関特性、例えば最大長さのシーケンス、を有するように選択される１である。同期シーケンスとして用いるために以前に提案され、本発明を適切に説明するためにここで用いられる、シーケンスの一例は次のとおりである。
【００２２】
１，１，１，−１，−１，−１，−１，１，−１，１，−１，−１，１，１，−１，１，
【００２３】
本発明が任意のビットシーケンス、さらに詳しく述べれば、シンボルが２進アルファベット（シフトしたシーケンスも含む）を用いて表されるか、Ｍ進アルファベットを用いて表されるかには関係なく、任意のシンボルのシーケンスを利用可能であることは明らかであろう。しかし、このシーケンスに対して、基地局は、BCCH2のタイムスロット＃１における同期ビットとして‘１’を、タイムスロット＃２における同期ビットとして‘１’を、．．．そして、タイムスロット＃16における同期ビットとして‘１’を、送信することになる。
【００２４】
パターンはあらかじめ定められ周期的であるから、移動局はフレーム同期を確立するために、受信されたタイムスロットのオーダとフレームの開始位置との間の時間偏移を識別することが必要である。これは、移動局で受信された16個のシンボルのシーケンスを、基地局で繰り返されることになるあらかじめ定められた周期的なシーケンスと整合をとるのにシフトがいくつ必要であるかを判断するという、直接的な方法で実現できる。例えば、ある移動局が、特定の移動局より送信されたBCCH2の16個の連続するタイムスロットを受信し、デコードし、そして以下のパターンを受信同期ビットとして識別したと仮定する。
【００２５】
１，−１，１，−１，−１，１，１，−１，１，１，１，１，−１，−１，−１，−１
【００２６】
このパターンを右に７桁（または左に９桁）シフトすることで、受信パターンはあらかじめ定められたパターンに整合することになり、これによりフレーム境界が位置決めされた移動局を取り扱うことができる。
【００２７】
しかし、このフレーム同期機能を実行するためには、アイドル状態の移動局のために、複数の異なる番号のタイムスロットのそれぞれにおける同期シンボル（例えばLCMS）を読み出すことが必要となる場合がある。同期シンボルは基地局より繰り返し送信されるので、この問題は多数の異なるスーパーフレームを介して解決することができる。しかし、従来の呼出し手法は、スーパーフレーム内にある同一番号の１または複数のタイムスロットのために、移動局が立ち上がるように設計されている。ここで、図３に示された最近提案されている呼出し手法の一例を考える。
【００２８】
同図において、（一斉呼出しチャネルおよび報知制御チャネルを含むチャネルの）各スーパーフレームは、1152個のタイムスロットを有していることが分かる。これら1152個のタイムスロットは、288個の呼出しグループにグループ分けされ、アクティブな（すなわち、電源オンの）移動局のそれぞれは、288個の呼出しグループのいずれかに割り当てられる。この提案においては、呼出し情報は、スーパーフレーム毎に、トータル４タイムスロット区間長になる６個のセグメントに含められて送信される。例えば、図３において、呼出しグループ１は、タイムスロット＃４および＃８の４分の１と、タイムスロット＃12の２分の１と、タイムスロット＃17、＃22、＃27の全部を使用していることが理解されよう。ここでの説明に特に関係があるわけではないが、この呼出し手法の提案は２つの指標セグメント（例えば、呼出しグループ１に対するタイムスロット＃４および＃８）を作成する。この指標セグメントは、呼出しグループ１に割り当てられた移動局の、そこにアドレシングされた呼出しメッセージがあるかどうかの情報を伝える周期的な指標を示す。移動局がタイムスロット＃４内の情報を正確にデコードし、この情報が当該スーパーフレームには呼出し情報はないことを示すと、移動局はスリープモード動作に戻ることができ、その呼出しグループに関連する残りのタイムスロット（例えば、タイムスロット＃８、＃12、＃17、＃22、および＃27）を読み出す必要がなくなる。このことから、この提案呼出し手法においては、各移動局が立ち上がることが必要となるのは、呼出しメッセージを受信するまで、または、システムに接続要求を起動するまでは、各スーパーフレーム内の同一番号のタイムスロットに対してだけであることが理解されよう。
【００２９】
移動局は、呼出しメッセージを受信する目的で各スーパーフレーム内の同一番号のタイムスロットに対してだけ立ち上がればよいので、フレーム同期を目的とする、異なる番号のタイムスロットからの同期シンボルの読出しおよび、上記したロングコード・グループ識別を行う機会がない。そのため、この最近提案された呼出し手法の下では、別のタイムスロットに対して立ち上げられた移動局にこのようなタイムスロットを読み出させることが必要になり、スリープモード動作の有効性が減少することになる。
【００３０】
このことから、本出願人は、以下に示す代替技術を開発した。これによれば、リモート装置が割り当てられた１または複数の一斉呼出しチャネル・タイムスロットに対してだけ立ち上がり、かつ、一連のスーパーフレームにわたる異なる番号のタイムスロットからの同期シンボルを読み出さずにすむことを可能とする。図４に示した第１の実施形態によれば、これは、一斉呼出しチャネルのフレーム構成と報知制御チャネル（例えば、図１のBCCH2）のフレーム構成との間にオフセットを生ぜしめることによって達成することができる。
【００３１】
図４において、一斉呼出しチャネルのスーパーフレーム構成にタイムスロットを追加することを本出願人は提案する。例えば、スーパーフレーム毎のタイムスロットは、図３に示したように1152個ではなく、1153個とする。この追加的なタイムスロットによって、一斉呼出しチャネルのスーパーフレーム構成と報知制御チャネルのフレーム構成との間にオフセットを生じる。このオフセットは、リモート装置が立ち上がって、一斉呼出しチャネルの一連のスーパーフレームで同一番号のタイムスロットを読み出すときに、当該リモート装置が報知制御チャネル情報の一連のスーパーフレーム内の異なる番号のタイムスロットを読み出すことを可能にするために、使用することができる。具体的には、呼出しグループＫのリモート装置は、ちょうど図３に示した従来の呼出し手法のように、スーパーフレームＮSF（ＮSF=0, 1, 2, ...,）のスロット４Ｋの区間長の間、立ち上がっているようにする。しかし、一斉呼出しチャネルのスーパーフレーム構成における、報知制御チャネルのフレーム構成に対して追加的なタイムスロットのために、リモート装置は報知制御チャネルフレームのＮ番目のタイムスロットからの同期スロットを受信することも可能である。ここで、Ｎ＝（４Ｋ＋ＮSF mod 16）である。ただし、演算子“mod”は、第１項（例えば４Ｋ＋ＮSF）を第２項（例えば16）で割ったときの余りを出力することを示す。したがって、ＮSFが増加すると、リモート装置は、報知制御チャネルフレームの、多数の異なるタイムスロット（例えば、16個の異なる番号のすべてのタイムスロット）からの同期シンボル（例えばLCMS）を受信する機会を得る。例えば、このようにリモート装置は、スーパーフレーム毎に２以上のタイムスロットに対して立ち上がる必要なしに、報知制御チャネルの異なるタイムスロットを読み出す必要があるフレーム同期またはその他の機能を実行することができる。
【００３２】
この手法は、図５のフローチャートにより要約することができる。同図において、ステップ100で、リモート装置は、１番目のスーパーフレームの期間中に一斉呼出しチャネルの割り当てられたタイムスロットｎを読み出すと同時に、同時に送信されてきた報知制御チャネルのタイムスロットｍを読み出して、例えば、タイムスロットｍに含められて送信されてきた同期シンボルを読み出す。ステップ102で、次のスーパーフレームの期間中に、リモート装置は再び、一斉呼出しチャネルの割り当てられたタイムスロットｎを読み出すが、今回は報知制御チャネルのタイムスロットｍ＋１を読み出す。システムは各一斉呼出しチャネルの追加的なタイムスロットを一斉送信し、そのためにスーパーフレーム毎に一斉呼出しチャネルと報知制御チャネルとの間のオフセットを生じるためである。したがって、リモート装置は例えば、次の同期シンボルを取得し、例えば、リモート装置がフレーム同期をとることを可能にするLCMSのパターンを、たび重なる反復を通じて判断することができる。ステップ103に示すように、フレーム毎のタイムスロット番号に応じて、その繰り返し周期は、ある回数の繰り返しｐの後、もう一度制御チャネルのタイムスロットｍの読出しに戻る。
【００３３】
図４における呼出しグループとタイムスロットとの間の配置は、図３のそれと同じであることには注意されたいが、そのことが必要なわけではないことは理解されよう。したがって、この例では、一斉呼出しチャネルに追加される追加タイムスロット＃1024を休止スロットとすることができる。あるいは、このタイムスロット期間中にシステムにより他の情報を送信することができる。さらに、この実施形態は、リモート装置の割り当てられた一斉呼出しチャネル・タイムスロットのそれぞれの期間で読み出される報知制御チャネルの、連番のタイムスロットが異なることを許容する、一斉呼出しチャネルと報知制御チャネルとの間の１タイムスロットのオフセットの一例を示しているが、２以上のタイムスロットを一斉呼出しチャネル構成に追加して異なるオフセットを生じさせるようにしてもよい。
【００３４】
しかし、呼出し情報を適切に受信してデコードするために、リモート装置は、割り当てられた一斉呼出しチャネル・タイムスロットだけでなくさらに別のタイムスロットでも立ち上がることが必要になる場合がある。例えば、呼出しグループ１における移動局は、タイムスロット＃４の情報を受信したときに、その情報を適切にデコードできるようパイロットシンボルのチャネル推定を行うために、一斉呼出しチャネルのスーパーフレーム構成におけるタイムスロット＃４より前の１または２以上のタイムスロットで立ち上がる必要がある場合がある。この状況下においては、本発明の他の実施形態により、システムが一斉呼出しチャネルおよび報知制御チャネルの両方に対して同一のスーパーフレームのタイムスロット構成を用いて情報を送信し、リモート装置が依然として報知制御チャネルの複数の異なる番号のタイムスロットを読み出すことができるような、呼出しグループの再配置が可能である。より具体的には、本発明の第２の実施形態によれば、報知制御チャネルの異なる番号のタイムスロットを受信できるように、リモート装置はスーパーフレーム毎に呼出しグループを変更する。
【００３５】
割り当てられた一斉呼出しチャネル・タイムスロット内の情報を適切に読み出すために、４つのタイムスロットに対してリモート装置が立ち上がる必要がある、という以下の例を考える。そして、例えば、４スーパーフレームの間にわたる報知制御チャネルの、異なる番号の16個すべてのタイムスロットを読み出すことを可能とする方法により、リモート装置は呼出しグループ間を変更する再配置処理を実行する。例えば、f(i)は、識別番号ｉを有するリモート装置に対する、呼出しグループ番号NPGの決定に使用されるある基本関数を示すとする。ただし、０≦f(i)≦NPG-1である。そして、呼出しグループの割り当ては、g(i)=(f(i)+NSF) mod NPG による、スーパーフレームの関数として変更することができる。このように、特定のリモート装置の呼出しグループは、スーパーフレーム0, 1, 2, ... , の期間中それぞれ、f(i), f(i)+1, f(i)+2, ..., に属することになる。図３に示した典型的な一斉呼出しチャネル・スロットの割り当てを使用し（すなわち、初期一斉呼出しチャネル・スロット＝g(i) mod 16）、f(i)＝０の例として仮定すると、リモート装置が連続するスーパーフレームの各々に対して読み出すことになる一斉呼出しチャネル・タイムスロット番号は、タイムスロット＃０，＃４，＃８，＃12，＃０，＃４，．．．というように繰り返すことになる。この実施形態において、リモート装置が４つのタイムスロットのすべてに対して立ち上がって割り当てられたチャネルのタイムスロットを読み出すとき、一斉呼出しチャネル・タイムスロット番号は制御チャネル・タイムスロット番号に対応するので、リモート装置はすべての異なる番号の制御チャネル・タイムスロットを読み出すことができる。
【００３６】
この第２の実施形態は、図６のフローチャートにより要約できる。同図において、ステップ200で、リモート装置は、一斉呼出しチャネル・タイムスロット＃ｎを読み出し、呼び出されるかどうかを調べることにより、最初の呼出しグループに割り当てられる。ただし、リモート装置は３タイムスロット早く立ち上がってチャネル推定情報を取得し、その時間を利用して制御チャネル・タイムスロット＃ｎ−３，＃ｎ−２，＃ｎ−１，ならびに＃ｎを読み出し、例えば、そこで送信されたそれぞれの同期シンボル（LCMS）を取得する。リモート装置は「早期に」立ち上がって追加的なチャネル推定情報を取得し、割り当てられた一斉呼出しチャネル・タイムスロットｎをより適切にデコードすることができ、（無線チャネルについての情報が少ないにもかかわらず）LCMS情報の初めの数スロットをなお読み出すことができることが理解されよう。LCMS情報は各フレーム内で繰り返されるので、リモート装置は、初期チャネル情報の欠落が最初の読出しの精度を落とすことになる場合には、この情報を再読出しする、別の機会を有することになる。
【００３７】
そして、次のスーパーフレームのために、リモート装置は別の呼出しグループに再割り当て（または再配置）される。ステップ202で、次のスーパーフレームにおける一斉呼出しチャネル・タイムスロット＃ｎ＋４を読み出す。再び、（この実施形態のために）リモート装置は早期に立ち上がってチャネル推定を行うので、制御チャネルのタイムスロット＃ｎ＋１，ｎ＋２，およびｎ＋３を読み出して、同期シンボルおよび／またはこの時間に可能なその他の情報を取得することもできる。ステップ203で示すように、この処理は、周期がリモート装置が再び元の呼出しグループに割り当てられる位置に戻り、処理フローが最初に戻って周期的に継続する。このように、リモート装置は例えば、16個すべての同期シンボルを取得し、フレームパターンを決定し、そして上記したように、この情報を用いてフレームに同期する。
【００３８】
図６の実施形態は、リモート装置を別の呼出しグループに再配置することによって、リモート装置に向けられた呼出しメッセージを取得するためにそのリモート装置も立ち上がる必要がある追加的な時間を利用して、制御チャネルの異なるタイムスロットの読出しに関する補助機能を実現することもできることを示している。より一般的には、後述する実施形態で説明する手法は、制御チャネルの異なる番号のタイムスロットからの同期シンボルをリモート装置がなお取得することを可能にする方法により、追加的なタイムスロットに対してリモート装置が立ち上がる必要がない状況、および／または、割り当てられたタイムスロットとは別の、追加的なタイムスロットを読み出すことができない状況においても適用することができる。
【００３９】
例えば、リモート装置を別の呼出しグループに再配置せずに、システムは、各グループに対する割り当てられた初期一斉呼出しチャネル・タイムスロットがスーパーフレーム毎に変化するように、スーパーフレーム構成を再構成することができる。よって、呼出しグループＫに対する初期呼出し情報が送信されるタイムスロット番号は次のとおり変化する。
【００４０】
Ｎ＝４Ｋ＋（ＮSF mod 16）
【００４１】
呼出し情報が異なる部分（例えば、図３および図４の例における６つの部分）に送信されると、これらの追加的な部分の送信のためのタイムスロットは、例えば、所定のスーパーフレームにおけるタイムスロット＃Ｎ＋４，Ｎ＋８，Ｎ＋13，Ｎ＋１８，およびＮ＋23を使用して、それぞれ初期一斉呼出しチャネル・タイムスロットに従ってシフトすることになる。このような初期一斉呼出しチャネル・タイムスロットの変更によって、リモート装置は制御チャネルの異なる番号のタイムスロットを読み出し、それに伴って別の情報を読み出す機会も得ることになる。
【００４２】
上述した詳細な説明により、本発明の全体的な内容が十分に明らかになった。現時点での知識を適用することで、一般的概念を逸脱することなく特定の態様のさまざまなアプリケーションに対して容易な改変および／または応用が可能である。そして、かかる改変、応用を包含する意味であり、また、開示した実施形態の均等の範囲に含まれることを意図したものである。本明細書で用いた技術用語は説明のためであってそれによって限定されるものではない。
【図面の簡単な説明】
【図１】  本発明の実施に使用可能なエアインタフェースに係るフレーム構成を示す図である。
【図２（ａ）】  本発明とともに使用可能な送信機および受信機の構成例のブロック図である。
【図２（ｂ）】  拡散符号、タイムスロット・シーケンス、およびロングコード・グループの間のマッピングの一例を示す図である。
【図３】  従来の呼出し手法の、一斉呼出しチャネルのタイムスロット構成および呼出しグループの配置を示す図である。
【図４】  本発明の実施形態に係る改良された一斉呼出しチャネルのタイムスロット構成および呼出しグループの配置を示す図である。
【図５】  本発明の実施形態に係る方法の一例を示すフローチャートである。
【図６】  本発明の他の実施形態に係る方法を示すフローチャートである。
【図１】
0004316810.tif 000002
【図２（ａ）】
0004316810.tif 000003
【図２（ｂ）】
0004316810.tif 000004
【図３】
0004316810.tif 000005
【図４】
0004316810.tif 000006
【図５】
0004316810.tif 000007
【図６】
0004316810.tif 000008